(57)【要約】【課題】ユーザー選好度に基づくマルチメディアコンテンツサービスシステムと方法及びその記録媒体。【解決手段】マルチメディアコンテンツサービスシステムは、ユーザーが選択する選択選好度またはユーザーのコンテンツ消費に対する累積統計値から生成された任意選好度に基づいて元のコンテンツを変形する。このシステムは変形されたコンテンツをユーザーに伝送してユーザー選好度に応じてレンダリングまたは格納するサービスを提供する。従って、本発明のシステムは ユーザーの関心度に応じて変形したコンテンツのサービスを提供することにより、ユーザーの利用利便性(汎用的マルチメディア接近性)が増進。
2006503384.tif 000002
【特許請求の範囲】
【請求項１】
ネットワークを通してユーザー端末にマルチメディアコンテンツサービスを提供する、コンテンツサーバを含む、コンテンツサービスシステムであって、
ユーザー選好度を生成する手段と、
前記ユーザー選好度をメタデータとして格納し、コンテンツサービス要請に応答して対応する前記メタデータを検索した後に、コンテンツサービス要請情報(contents-service-request-information)とユーザー選好度情報を含むコンテンツ要請データ(contents-request-data)を生成する手段と、
前記ネットワークを通して前記コンテンツ要請データを前記コンテンツサーバに伝送する手段と、
前記コンテンツ要請データをパーシングしてユーザー選好度分析情報を生成する手段と、
前記コンテンツサービス要請情報に応じて要請されたコンテンツを前記ユーザー選好度分析情報に基づいて変形して変形コンテンツを生成する手段と、
前記ネットワークを通して前記変形コンテンツを前記ユーザー端末に伝送する手段と、
前記変形コンテンツを再生または格納する手段からなるユーザー選好度に基づくマルチメディアコンテンツサービスシステム。
【請求項２】
前記コンテンツ要請データは、任意のユーザー端末指定情報を含み、前記コンテンツサーバは、前記任意のユーザー端末指定情報が検出される時に前記変形コンテンツを前記任意のユーザー端末に伝送することを特徴とする請求項１に記載のユーザー選好度に基づくマルチメディアコンテンツサービスシステム。
【請求項３】
前記コンテンツ要請データは、前記変形コンテンツの再生または格納時刻情報を含み、前記任意のユーザー端末は、前記再生または格納時刻に応じて前記変形コンテンツを再生または格納することを特徴とする請求項２に記載のユーザー選好度に基づくマルチメディアコンテンツサービスシステム。
【請求項４】
前記ユーザー選好度は、イメージ、オーディオ、ビデオ及び/またはテキストコンテンツの時空間的領域別または部分別のユーザー選好度を含むことを特徴とする請求項１に記載のユーザー選好度に基づくマルチメディアコンテンツサービスシステム。
【請求項５】
前記ユーザー選好度は、特定区間単位及び選択時点に対する選好度を含むが、前記特定区間単位に対する選好度は、既存の単位及びユーザー定義された単位に対する選好度を含み、前記既存の単位またはユーザー定義された単位のうち、ユーザーが所望の単位を基本選好区間の指定単位として選択できるようにし、前記選択時点に対する選好度は既存の選択時点及びユーザー定義された選択時点に対する選好度を含み、前記既存の選択時点及びユーザー定義された選択時点のうちの何れかをユーザーが所望の選択時点を基本選択時点として選択できるようにすることを特徴とする請求項４に記載のユーザー選好度に基づくマルチメディアコンテンツサービスシステム。
【請求項６】
前記既存の単位及びユーザー定義された単位は、秒、フレーム、シーン、ショット、トピック、ページ、ライン、ワードのうち、少なくとも何れか一つまたは２以上の組み合わせを含み、前記既存の選択時点及びユーザー定義された選択時点は、現在、以前、以後、開始、終了、中間、１/４地点、３/４地点及びこれらの任意の組み合わせを含むことを特徴とする請求項５に記載のユーザー選好度に基づくマルチメディアコンテンツサービスシステム。
【請求項７】
前記ユーザー選好度は、オーディオ、ビデオまたはテキストコンテンツのレンダリング速度に対するユーザー選好度を含むことを特徴とする請求項１に記載のユーザー選好度に基づくマルチメディアコンテンツサービスシステム。
【請求項８】
前記ユーザー選好度は、オーディオ、ビデオ及び/またはテキストコンテンツの繰り返し再生、再生方向、ランダムアクセス、単一フレームの再生に関するユーザー選好度を含み、ランダムアクセスの選好度はコンテンツ内の所望の任意の時点へのジャンプに対する選好度を表し、単一フレーム再生の選好度はユーザーの要請を受けて１フレーム単位で再生される時、ユーザーの次の応答が与えられるまで該当フレームのみを再生できる選好度を含むことを特徴とする請求項１に記載のユーザー選好度に基づくマルチメディアコンテンツサービスシステム。
【請求項９】
前記繰り返し再生選好度は、繰り返し再生回数を含み、単一回数再生または繰り返し再生のうち、所望の再生方式を基本的な再生方式として設定することを特徴とする請求項８に記載のユーザー選好度に基づくマルチメディアコンテンツサービスシステム。
【請求項１０】
前記レンダリング方向ユーザー選好度は、前記順方向と逆方向のうち、所望の方向を基本再生方向として設定することを特徴とする請求項８に記載のユーザー選好度に基づくマルチメディアコンテンツサービスシステム。
【請求項１１】
前記レンダリング速度に対するユーザー選好度は、文字を用いて表す意味論的な速度と数字を用いて表す数値的な速度に対する選好度を含むことを特徴とする請求項７に記載のユーザー選好度に基づくマルチメディアコンテンツサービスシステム。
【請求項１２】
前記意味論的な速度は、非常に速く、速く、やや速く、普通、やや遅く、遅く、非常に遅く及びこれらの任意の組み合わせを含むことを特徴とする請求項１１に記載のユーザー選好度に基づくマルチメディアコンテンツサービスシステム。
【請求項１３】
前記ユーザー選好度は、テキストコンテンツに対する特定単語または文章に対するユーザー選好度を含むことを特徴とする請求項１に記載のユーザー選好度に基づくマルチメディアコンテンツサービスシステム。
【請求項１４】
前記ユーザー選好度は、テキストコンテンツに対するフォントの大きさまたは色に対するユーザー選好度を含むことを特徴とする請求項１３に記載のユーザー選好度に基づくマルチメディアコンテンツサービスシステム。
【請求項１５】
前記ユーザー選好度は、前記テキストをオーディオ出力に変形させるユーザー選好度を含むことを特徴とする請求項１に記載のユーザー選好度に基づくマルチメディアコンテンツサービスシステム。
【請求項１６】
前記ユーザー選好度は、ユーザーが選好コンテンツの関連コンテンツを指定する関連コンテツンツに対する選好度を含むことを特徴とする請求項１に記載のユーザー選好度に基づくマルチメディアコンテンツサービスシステム。
【請求項１７】
前記関連コンテンツに対するユーザー選好度は、ユーザーが元のコンテンツ、要約コンテンツ、または部分コンテンツを選好するか否か、またユーザーが元のコンテンツと関連する付加コンテンツを選好するか否かに関することを特徴とする請求項１６に記載のユーザー選好度に基づくマルチメディアコンテンツサービスシステム。
【請求項１８】
前記ユーザー選好度は、ユーザーの選好コンテンツまたは選好コンテンツの関連コンテンツに対する格納装置選好度、格納時刻選好度、格納量選好度、及びレンダリング装置に対するユーザー選好度を含むことを特徴とする請求項１に記載のユーザー選好度に基づくマルチメディアコンテンツサービスシステム。
【請求項１９】
前記ユーザー端末は、有線または無線端末であり、前記ネットワークはインターネットと移動通信網に接続する有線ネットワーク及び/または無線ネットワークであることを特徴とする請求項１乃至請求項１８の何れか一項に記載のユーザー選好度に基づくマルチメディアコンテンツサービスシステム。
【請求項２０】
前記サービスシステムは、
受信された変形コンテンツをモニタリングしてコンテンツ消費ヒストリーを抽出する手段と、
前記コンテンツ消費ヒストリーを格納する手段と、
前記コンテンツ消費ヒストリーの累積統計値に基づいてユーザー任意選好度(automatic preferences)を計算する手段と、
前記計算されたユーザー任意選好度を前記メタデータとして格納する手段と
を更に含むことを特徴とする請求項１乃至請求項１８の何れか一項に記載のユーザー選好度に基づくマルチメディアコンテンツサービスシステム。
【請求項２１】
前記ユーザー任意選好度は、キャラクタに対する選好度、ジャンルに対する選好度、オーディオコンテンツのレンダリング速度に対する選好度、所定単語や文章を有するテキストコンテンツに対する選好度、ユーザーの選好コンテンツまたは選好コンテンツの関連コンテンツに対する格納装置選好度、格納時刻選好度、格納量選好度、レンダリング装置選好度及びこれらの任意の組み合わせを特徴とする請求項２０に記載のユーザー選好度に基づくマルチメディアコンテンツサービスシステム。
【請求項２２】
ネットワークを通してユーザー端末にマルチメディアコンテンツサービスを提供する方法であって、
ユーザー選好度を生成する過程と、
前記ユーザー選好度をメタデータとして格納し、コンテンツサービス要請に応答して、対応する前記メタデータを検索した後に、コンテンツサービス要請情報とユーザー選好度情報を含むコンテンツ要請データを生成して前記ネットワークを通してコンテンツサーバに伝送する過程と、
前記コンテンツ要請データを分析してユーザー選好度分析情報を生成する過程と、
前記コンテンツサービス要請情報に応じて要請されたコンテンツを、ユーザー選好度分析情報に基づいて変形して変形コンテンツを生成した後に、前記ユーザー端末にネットワークを通して伝送する過程と、
前記変形コンテンツを再生または格納する過程からなるユーザー選好度に基づくマルチメディアコンテンツサービス方法。
【請求項２３】
前記コンテンツ要請データは、任意のユーザー端末指定情報を含み、前記コンテンツサーバは、前記任意のユーザー端末指定情報が検出される時に前記変形コンテンツを前記任意のユーザー端末に伝送することを特徴とする請求項２２に記載のユーザー選好度に基づくマルチメディアコンテンツサービス方法。
【請求項２４】
前記コンテンツ要請データは、前記変形コンテンツの再生または格納時刻情報を含み、前記任意のユーザー端末は、前記再生または格納時刻に応じて前記変形コンテンツを再生または格納することを特徴とする請求項２３に記載のユーザー選好度に基づくマルチメディアコンテンツサービス方法。
【請求項２５】
前記ユーザー選好度は、前記ユーザーにより選択されたユーザー選好度であることを特徴とする請求項２２に記載のユーザー選好度に基づくマルチメディアコンテンツサービス方法。
【請求項２６】
前記ユーザー選好度は、前記ユーザーが任意のマルチメディアコンテンツのサービスを受けるたびに各コンテンツのジャンル、種類またはユーザー選択選好度のような情報を累積統計して生成する任意選好度であることを特徴とする請求項２２に記載のユーザー選好度に基づくマルチメディアコンテンツサービス方法。
【請求項２７】
前記任意選好度は、キャラクタに対する選好度、ジャンルに対する選好度、オーディオコンテンツのレンダリング速度に対する選好度、特定単語または文章を含むテキストコンテンツに対する選好度、ユーザーの選好コンテンツまたは選好コンテンツの関連コンテンツに対する格納装置選好度、格納時刻選好度、格納量選好度、レンダリング装置選好度及びこれらの任意の組み合わせを含むことを特徴とする請求項２６に記載のユーザー選好度に基づくマルチメディアコンテンツサービス方法。
【請求項２８】
前記ユーザー選好度は、イメージ、オーディオ、ビデオ、テキストコンテンツの時空間的領域別または部分別のユーザー選好度、ユーザーの選好コンテンツまたは選好コンテンツの関連コンテンツに対する格納装置選好度、格納時刻選好度、格納量選好度、レンダリング装置選好度及びこれらの任意の組み合わせを含むことを特徴とする請求項２２乃至請求項２７の何れか一項に記載のユーザー選好度に基づくマルチメディアコンテンツサービス方法。
【請求項２９】
前記ユーザー選好度は、区間単位及び選択時点に対する選好度を含むが、前記区間単位に対する選好度は、既存の単位及びユーザー定義単位に対する選好度を含み、前記既存の単位またはユーザー定義単位のうちの何れかを、ユーザーが所望の単位を基本区間単位として選択できるようにし、前記選択時点に対する選好度は、既存の選択時点及びユーザー定義選択時点に対する選好度を含み、前記既存の選択時点及びユーザー定義選択時点のうちの何れかをユーザーが所望の選択時点を基本選択時点として選択できるようにすることを特徴とする請求項２８に記載のユーザー選好度に基づくマルチメディアコンテンツサービス方法。
【請求項３０】
前記既存の単位及びユーザー定義単位は、秒、画面、シーン、ショット、トピック、ページ、ライン、ワード及びこれらの組み合わせを含み、前記既存の選択時点及びユーザー定義された選択時点は、現在、以前、以後、開始、終了、中間、１/４地点、３/４地点及びこれらの任意の組み合わせを含むことを特徴とする請求項２９に記載のユーザー選好度に基づくマルチメディアコンテンツサービス方法。
【請求項３１】
前記ユーザー選好度は、オーディオ、ビデオまたはテキストコンテンツのレンダリング速度に対するユーザー選好度、ユーザーの選好コンテンツまたはその選好コンテンツの関連コンテンツに対する格納装置選好度、格納時刻選好度、格納量選好度、レンダリング装置選好度及びこれらの任意の組み合わせを含むことを特徴とする請求項２２乃至請求項２７の何れか一項に記載のユーザー選好度に基づくマルチメディアコンテンツサービス方法。
【請求項３２】
前記ユーザー選好度は、オーディオ、ビデオ及び/またはテキストコンテンツの繰り返し再生、再生方向、ランダムアクセス、単一フレームの再生に関するユーザー選好度を含み、前記ランダムアクセスの選好度はコンテンツ内の所望の任意の時点へのジャンプに対する選好度を表し、前記単一フレーム再生の選好度はユーザーの要請を受けて１フレーム単位で再生される時、ユーザーの次の応答が与えられるまで該当フレームのみを再生する選好度を示すことを特徴とする請求項３１に記載のユーザー選好度に基づくマルチメディアコンテンツサービス方法。
【請求項３３】
前記繰り返し再生選好度は、繰り返し再生回数を含み、単一回数再生方式または繰り返し再生方式のうち、所望の再生方式を基本的な再生方式として設定することを特徴とする請求項３２に記載のユーザー選好度に基づくマルチメディアコンテンツサービス方法。
【請求項３４】
前記再生方向ユーザー選好度は、順方向または逆方向のうち、所望の方向を基本再生方向として設定することを特徴とする請求項３２に記載のユーザー選好度に基づくマルチメディアコンテンツサービス方法。
【請求項３５】
前記レンダリング速度に対するユーザー選好度は、文字を用いて表す意味論的な速度と数字を用いて表す数値的な速度に対する選好度を含むことを特徴とする請求項３１に記載のユーザー選好度に基づくマルチメディアコンテンツサービス方法。
【請求項３６】
前記意味論的な速度は、非常に速く、速く、やや速く、やや遅く、遅く、非常に遅く及びこれらの任意の組み合わせを含むことを特徴とする請求項３５に記載のユーザー選好度に基づくマルチメディアコンテンツサービス方法。
【請求項３７】
前記ユーザー選好度は、所定単語または文章を有するテキストコンテンツに対するユーザー選好度、ユーザーの選好コンテンツまたはその選好コンテンツの関連コンテンツに対する格納装置選好度、格納時刻選好度、格納量選好度、レンダリング装置選好度及びこれらの任意の組み合わせを含むことを特徴とする請求項２２乃至請求項２７の何れか一項に記載のユーザー選好度に基づくマルチメディアコンテンツサービス方法。
【請求項３８】
前記ユーザー選好度は、テキストコンテンツのフォントの大きさ及び色に対するユーザー選好度、ユーザーの選好コンテンツまたはその選好コンテンツの関連コンテンツに対する格納装置選好度、格納時刻選好度、格納量選好度、レンダリング装置選好度及びこれらの任意の組み合わせを含むことを特徴とする請求項２２乃至請求項２７の何れか一項に記載のユーザー選好度に基づくマルチメディアコンテンツサービス方法。
【請求項３９】
前記ユーザー選好度は、テキストからオーディオ出力に変形させるユーザー選好度、ユーザーの選好コンテンツまたはその選好コンテンツの関連コンテンツに対する格納装置選好度、格納時刻選好度、格納量選好度、レンダリング装置選好度及びこれらの任意の組み合わせを含むことを特徴とする請求項２２乃至請求項２７の何れか一項に記載のユーザー選好度に基づくマルチメディアコンテンツサービス方法。
【請求項４０】
ネットワークを通してユーザー端末にマルチメディアコンテンツサービスを提供するプログラムを記録し、コンピュータで読み取り可能な記録媒体であって、
ユーザー選好度を生成する過程と、
前記ユーザー選好度をメタデータとして格納し、コンテンツサービス要請に応答して対応するメタデータを検索した後にコンテンツサービス要請情報とユーザー選好度情報を含むコンテンツ要請データを生成して前記ネットワークを通してコンテンツサーバに伝送する過程と、
前記コンテンツ要請データを分析してユーザー選好度分析情報を生成する過程と、
前記コンテンツサービス要請情報に応じて、要請されたコンテンツをユーザー選好度分析情報に基づいて変形して、変形コンテンツを生成した後に、前記ネットワークを通して、前記ユーザー端末に伝送する過程と、
前記変形コンテンツを再生または格納する過程を実行するためのプログラムを記録した前記コンピュータで読み取り可能な記録媒体。
【請求項４１】
前記ユーザー選好度は、イメージ、オーディオ、ビデオ、及びテキストの時空間的な領域別または部分別のユーザー選好度、ユーザーの選好コンテンツまたはその選好コンテンツの関連コンテンツに対する格納装置選好度、格納時刻選好度、格納量選好度、レンダリング装置選好度及びこれらの任意の組み合わせを含むことを特徴とする請求項４０に記載の前記コンピュータで読み取り可能な記録媒体。
【請求項４２】
ネットワークを通してユーザー端末にマルチメディアコンテンツサービスを提供するコンテンツサーバを含むコンテンツサービスシステムであって、
ユーザー選好度を生成する手段と、
前記ユーザー選好度をメタデータとして格納し、コンテンツサービス要請に応答して、コンテンツ要請データを生成した後に、前記ネットワークを通して前記コンテンツサーバに伝送する手段と、
前記コンテンツ要請データに応答して、要請されたコンテンツを前記ネットワークを通して前記ユーザー端末に伝送する手段と、
前記コンテンツサービス要請に対応する前記メタデータを検索して、ユーザー選好度分析情報を生成する手段と、
前記ユーザー選好度分析情報に基づいて、前記受信されたコンテンツを変形して、変形コンテンツを生成する手段と、
前記変形コンテンツを再生または格納する手段を含むマルチメディアコンテンツサービスシステム。
【請求項４３】
前記コンテンツ要請データは、任意のユーザー端末指定情報を含み、前記コンテンツサーバは、前記任意のユーザー端末指定情報が検出される時に、前記変形コンテンツを前記任意のユーザー指定端末に伝送することを特徴とする請求項４２に記載のユーザー選好度に基づくマルチメディアコンテンツサービスシステム。
【請求項４４】
前記コンテンツ要請データは、前記変形コンテンツの再生または格納時刻情報を含み、前記任意のユーザー指定端末は、前記再生または格納時刻に応じて前記変形コンテンツを再生または格納することを特徴とする請求項４３に記載のユーザー選好度に基づくマルチメディアコンテンツサービスシステム。
【請求項４５】
前記ユーザー選好度は、イメージ、オーディオ、ビデオ及びテキストコンテンツの時空間的な領域別または部分別のユーザー選好度、ユーザーの選好コンテンツまたはその選好コンテンツの関連コンテンツに対する格納装置選好度、格納時刻選好度、格納量選好度、レンダリング装置選好度及びこれらの任意の組み合わせを含むことを特徴とする請求項４２乃至請求項４４の何れか一項に記載のユーザー選好度に基づくマルチメディアコンテンツサービスシステム。
【請求項４６】
ネットワークを通してユーザー端末にマルチメディアコンテンツサービスを提供する方法であって、
ユーザー選好度を生成する過程と、
前記ユーザー選好度をメタデータとして格納し、コンテンツサービス要請に応答して、コンテンツ要請データを生成した後に、前記ネットワークを通してコンテンツサーバに伝送する過程と、
前記コンテンツ要請データに応答して、要請されたコンテンツを前記ネットワークを通して前記ユーザー端末に伝送する過程と、
前記コンテンツサービス要請に対応するメタデータを検索して、ユーザー選好度分析情報を生成する過程と、
前記ユーザー選好度分析情報に基づいて受信された前記コンテンツを変形して変形コンテンツを生成する過程と、
前記変形コンテンツを再生または格納する過程を含むマルチメディアコンテンツサービス提供方法。
【請求項４７】
前記コンテンツ要請データは、任意のユーザー端末指定情報を含み、前記コンテンツサーバは、前記任意のユーザー端末指定情報が検出される時、前記変形コンテンツを前記任意のユーザー指定端末に伝送することを特徴とする請求項４６に記載のユーザー選好度に基づくマルチメディアコンテンツサービス指定方法。
【請求項４８】
前記コンテンツ要請データは、前記変形コンテンツの再生または格納時刻情報を含み、前記任意のユーザー指定端末は、前記再生または格納時刻に応じて、前記変形コンテンツを再生または格納することを特徴とする請求項４７に記載のマルチメディアコンテンツサービス提供方法。
【請求項４９】
前記ユーザー選好度は、イメージ、オーディオ、ビデオ及びテキストコンテンツの時空間的な領域別または部分別のユーザー選好度、ユーザーの選好コンテンツまたはその選好コンテンツの関連コンテンツに対する格納装置選好度、格納時刻選好度、格納量選好度、レンダリング装置選好度及びこれらの任意の組み合わせを含むことを特徴とする請求項４６乃至請求項４８の何れか一項に記載のマルチメディアコンテンツサービス提供方法。
【請求項５０】
ネットワークを通してユーザー端末にマルチメディアコンテンツサービスを提供するプログラムを記録し、コンピュータで読み取り可能な記録媒体であって、
ユーザー選好度を生成する過程と、
前記ユーザー選好度をメタデータとして格納し、コンテンツサービス要請に応答して、コンテンツ要請データを生成した後に、前記ネットワークを通してコンテンツサーバに伝送する過程と、
前記コンテンツ要請データに応答して、要請されたコンテンツを前記ネットワークを通して前記ユーザー端末に伝送する過程と、
前記コンテンツサービス要請に対応するメタデータを検索してユーザー選好度分析情報を生成する過程と、
前記ユーザー選好度分析情報に基づいて、受信された前記コンテンツを変形して、変形コンテンツを生成する過程と、
前記変形コンテンツを再生または格納する過程と
を実行するためのプログラムを記録した前記コンピュータで読み取り可能な記録媒体。
【請求項５１】
前記ユーザー選好度は、イメージ、ビデオ及びテキストに対する時空間的領域別及び部分別のユーザー選好度、ユーザーの選好コンテンツまたはその選好コンテンツの関連コンテンツに対する格納装置選好度、格納時刻選好度、格納量選好度、レンダリング装置選好度及びこれらの任意の組み合わせを含むことを特徴とする請求項５０に記載の前記コンピュータで読み取り可能な記録媒体。
【発明の詳細な説明】
【技術分野】
【０００１】
本発明は、イメージや、オーディオ、ビデオ、テキストコンテンツのようなマルチメディアコンテンツに対するユーザーの選好度に基づいてマルチメディアコンテンツを変形し、変形されたコンテンツに対して汎用的なマルチメディア接近を可能にするのに好適なシステムと方法及びその記録媒体に関する。
【背景技術】
【０００２】
従来のコンテンツ変形(或いはコンテンツトランスコーディング)システムにおいて、主な技術的課題または制限はネットワークリソース及び端末のディスプレイ能力にあり、従って、イメージをトランスコードする従来の方法は、主にイメージの空間解像度を下げること、或いはカラー成分を除去することに関連していた。同様に、ビデオデータを変形する従来の方法は大半がそれらの時間的な解像度を減少させることに関連していた。
【０００３】
従来の方法は、コンテンツ全体を記録または格納する時間とチャネルを確保することができるが、ユーザーがコンテンツのうち選好する部分を多様な装置に格納することはできない。但し、従来の方法は所定のディスプレイ装置にコンテンツを再生することは可能である。
【０００４】
しかし、この方法は、コンテンツに対するユーザー選好度を反映することができない。これは単に直接的な方式でコンテンツの変形、レンダリング、または再生する機能を行うことに過ぎない。また、コンテンツの選好する部分は、所望の方式で所望の装置上に格納されることも、所望の装置上に遠隔でディスプレイされることもできない。そのため、従来の方法は、コンテンツ消費において選好度が異なる多様なユーザーの要求をサポートするのに不適である。
【発明の開示】
【発明が解決しようとする課題】
【０００５】
従って、本発明の主な目的は、コンテンツの関心度及びコンテンツレンダリング方式に対するユーザーの選好度に基づいて、イメージや、オーディオ、ビデオ、テキストのコンテンツなどのマルチメディアコンテンツを変形、適応またはサービスするユーザー選好度に基づくマルチメディアコンテンツサービスシステムと方法を提供することにある。
【０００６】
本発明の他の目的は、マルチメディアコンテンツのサービスを提供するシステム及び要請されたコンテンツの所望の部分をユーザーの選好度に基づいて、例えば、遠くに位置する所望の格納装置または所望のディスプレイ装置を用いて所望の方式で格納、または再生する方法を提供することにある。
【０００７】
また、本発明のまた他の目的は、コンテンツの内容別の関心度及びコンテンツのレンダリング方式に対する選好度に基づいて、イメージや、グラフィック、オーディオ、ビデオ、テキストなどのマルチメディアコンテンツを変形及びサービスを提供するプログラムを記録したコンピュータで読み取り可能な記録媒体を提供することにある。
【０００８】
上記目的を達成するための一観点の一形態による本発明は、ネットワークを通してユーザー端末にマルチメディアコンテンツサービスを提供する、コンテンツサーバを含む、コンテンツサービスシステムであって、ユーザー選好度を生成する手段と、前記ユーザー選好度をメタデータとして格納し、コンテンツサービス要請に応答して対応する前記メタデータを検索した後に、コンテンツサービス要請情報(contents  -  service  - request - information)とユーザー選好度情報を含むコンテンツ要請データ(contents  -  request - data)を生成する手段と、前記ネットワークを通して前記コンテンツ要請データを前記コンテンツサーバに伝送する手段と、前記コンテンツ要請データをパーシングしてユーザー選好度分析情報を生成する手段と、前記コンテンツサービス要請情報に応じて要請されたコンテンツを前記ユーザー選好度分析情報に基づいて変形して変形コンテンツを生成する手段と、前記ネットワークを通して前記変形コンテンツを前記ユーザー端末に伝送する手段と、前記変形コンテンツを再生または格納する手段からなるユーザー選好度に基づくマルチメディアコンテンツサービスシステムを提供する。
【課題を解決するための手段】
【０００９】
上記目的を達成するための他の観点の一形態による本発明は、ネットワークを通してユーザー端末にマルチメディアコンテンツサービスを提供する方法であって、  ユーザー選好度を生成する過程と、前記ユーザー選好度をメタデータとして格納し、コンテンツサービス要請に応答して、対応する前記メタデータを検索した後に、コンテンツサービス要請情報とユーザー選好度情報を含むコンテンツ要請データを生成して前記ネットワークを通してコンテンツサーバに伝送する過程と、前記コンテンツ要請データを分析してユーザー選好度分析情報を生成する過程と、前記コンテンツサービス要請情報に応じて要請されたコンテンツを、ユーザー選好度分析情報に基づいて変形して変形コンテンツを生成した後に、前記ユーザー端末にネットワークを通して伝送する過程と、前記変形コンテンツを再生または格納する過程からなるユーザー選好度に基づくマルチメディアコンテンツサービス方法を提供する。
【００１０】
また、上記目的を達成するための他の観点の一形態による本発明は、ネットワークを通してユーザー端末にマルチメディアコンテンツサービスを提供するプログラムを記録し、コンピュータで読み取り可能な記録媒体であって、ユーザー選好度を生成する過程と、前記ユーザー選好度をメタデータとして格納し、コンテンツサービス要請に応答して対応するメタデータを検索した後にコンテンツサービス要請情報とユーザー選好度情報を含むコンテンツ要請データを生成して前記ネットワークを通してコンテンツサーバに伝送する過程と、前記コンテンツ要請データを分析してユーザー選好度分析情報を生成する過程と、前記コンテンツサービス要請情報に応じて、要請されたコンテンツをユーザー選好度分析情報に基づいて変形して変形コンテンツを生成した後に、前記ネットワークを通して、前記ユーザー端末に伝送する過程と、前記変形コンテンツを再生または格納する過程を実行するためのプログラムを記録した前記コンピュータで読み取り可能な記録媒体を提供する。
【００１１】
上記目的を達成するための一観点の他の形態による本発明は、ネットワークを通してユーザー端末にマルチメディアコンテンツサービスを提供するコンテンツサーバを含むコンテンツサービスシステムであって、ユーザー選好度を生成する手段と、前記ユーザー選好度をメタデータとして格納し、コンテンツサービス要請に応答して、コンテンツ要請データを生成した後に、前記ネットワークを通して前記コンテンツサーバに伝送する手段と、前記コンテンツ要請データに応答して、要請されたコンテンツを前記ネットワークを通して前記ユーザー端末に伝送する手段と、前記コンテンツサービス要請に対応する前記メタデータを検索して、ユーザー選好度分析情報を生成する手段と、前記ユーザー選好度分析情報に基づいて、前記受信されたコンテンツを変形して、変形コンテンツを生成する手段と、前記変形コンテンツを再生または格納する手段を含むマルチメディアコンテンツサービスシステムを提供する。
【００１２】
上記目的を達成するための他の観点の他の形態による本発明は、ネットワークを通してユーザー端末にマルチメディアコンテンツサービスを提供する方法であって、ユーザー選好度を生成する過程と、前記ユーザー選好度をメタデータとして格納し、コンテンツサービス要請に応答して、コンテンツ要請データを生成した後に、前記ネットワークを通してコンテンツサーバに伝送する過程と、前記コンテンツ要請データに応答して、要請されたコンテンツを前記ネットワークを通して前記ユーザー端末に伝送する過程と、前記コンテンツサービス要請に対応するメタデータを検索して、ユーザー選好度分析情報を生成する過程と、前記ユーザー選好度分析情報に基づいて受信された前記コンテンツを変形して変形コンテンツを生成する過程と、前記変形コンテンツを再生または格納する過程を含むマルチメディアコンテンツサービス提供方法を提供する。
【００１３】
また、上記目的を達成するための他の観点の他の形態による本発明は、ネットワークを通してユーザー端末にマルチメディアコンテンツサービスを提供するプログラムを記録し、コンピュータで読み取り可能な記録媒体であって、ユーザー選好度を生成する過程と、前記ユーザー選好度をメタデータとして格納し、コンテンツサービス要請に応答して、コンテンツ要請データを生成した後に、前記ネットワークを通してコンテンツサーバに伝送する過程と、前記コンテンツ要請データに応答して、要請されたコンテンツを前記ネットワークを通して前記ユーザー端末に伝送する過程と、前記コンテンツサービス要請に対応するメタデータを検索してユーザー選好度分析情報を生成する過程と、前記ユーザー選好度分析情報に基づいて、受信された前記コンテンツを変形して、変形コンテンツを生成する過程と、前記変形コンテンツを再生または格納する過程とを実行するためのプログラムを記録した前記コンピュータで読み取り可能な記録媒体を提供する。
【発明を実施するための最良の形態】
【００１４】
以下、添付の図面を参照して本発明の好適な実施例について詳細に説明する。
本発明による実施例は、コンテンツ内の時空間的な関心、関心の領域または関心部分に対するユーザー選好度、オーディオ、ビデオ、テキストのコンテンツなどのレンダリング速度に対するユーザー選好度、レンダリング方向(フォワード、バックワード、ファーストワード、ファーストバックワード等)に対するユーザーの選好度、視聴覚のコンテンツ内の特定区間における選好度、選択視点に対する選好度、ユーザーの選好コンテンツに関連するコンテンツに対する選好度、格納(または録画)及び(遠隔)レンダリング装置における選好度に基づいて要請されたマルチメディアコンテンツを変形し、この変形されたマルチメディアをユーザーにサービスする。コンテンツ内の時空間的関心度、関心の領域または関心部分は、所定のキャラクタが出現する場面またはトラックに対するユーザー選好度、サッカーまたはバスケットボール試合のスコアを示す所定フレームに対する選好度、所定単語または文章を有するテキストコンテンツに対する選好度及びオーディオコンテンツ内の特定区間上の選好度を含む。
【００１５】
または、本発明による実施例は、ユーザーがマルチメディアコンテンツのサービスを受ける度にコンテンツのジャンル及び種類または各コンテンツの選択された選好度のような情報に関して累積された統計に基づいて任意選好度(automatic  preferences)を生成することもできる。本発明による実施例は任意選好度に基づいて要請されたマルチメディアコンテンツを変形でき、このように変形されたマルチメディアコンテンツをユーザーにサービスすることもできる。また、本発明による実施例は、要請されたコンテンツの所定部分を格納装置に格納するか、または遠くに位置するディスプレイ上にレンダリングすることもできる。
【００１６】
以下、ユーザーにより選択または指定されたコンテンツは、「選択ユーザー選好度」というのに対して、ユーザーのコンテンツ消費の累積された統計から生成されるユーザー選好度は、「任意選好度」という。
以下、本発明の一実施例に関し、添付の図面を参照して詳細に説明する。
【００１７】
図１は、本発明の好適な実施例によるユーザー選好度に基づくマルチメディアコンテンツサービスシステムのブロック構成図である。このシステムは、ユーザー端末１１０、ネットワーク１２０、コンテンツサーバシステム１３０及びコンテンツ提供ユニット１４０を含む。
【００１８】
ここで、ユーザー端末１１０は、有線端末(例えば、ネットワーク接続手段を有するコンピュータなど)または無線端末(例えば、セルラーフォン、ＰＣＳフォン、ＰＤＡ、ＩＭＴ-２０００フォン、ＰＤＡフォン、スマートフォンなど)であることができる。ユーザー端末１１０は、ユーザー選好度入力ユニット１１１、メタデータ生成ユニット１１３、メタデータ送信ユニット１１５、コンテンツ受信ユニット１１７、及びコンテンツレンダリングユニット１１９を含む。コンテンツサーバシステム１３０は、メタデータ受信ユニット１３１、メタデータパーシングユニット１３３、コンテンツ適応ユニット１３５及びコンテンツ伝送ユニット１３７を含む。
【００１９】
図１を参照すれば、ユーザー選好度入力ユニット１１１は、例えば複数の数字キー、機能キーなどを有するキーパッド、タッチパッドまたは音声認識機などのヒューマンインターフェイス装置を含むことができる。ユーザー選好度入力ユニットは、所望のコンテンツのサービスを要請するたけでなく、ユーザーに選好度を選択させることができる。ユーザー選好度は、コンテンツの時空間的領域別または部分別のユーザー選好度、特定区間単位に対するユーザー選好度、選択時点に対するユーザー選好度、ユーザー選好コンテンツの関連コンテンツ選好度などを含む。
【００２０】
イメージや、オーディオ、ビデオまたはテキストコンテンツの時空間的領域別または部分別のユーザー選好度は、コンテンツの時空間的な関心、関心領域、または関心部分に対するユーザーの選好度を意味する。例えば、イメージまたはビデオコンテンツの時空間的な関心、関心領域、または関心部分に対する選好度は、特定のキャラクタが出現するコンテンツの一部または、サッカーまたはバスケットボール試合のスコアが現れるコンテンツのフレームをいう。同様に、オーディオコンテンツにおいて、一時的な関心、関心区間、または関心部分に対する選好度はユーザーが関心を持っているオーディオコンテンツの所定領域(区間)を意味する。最後に、テキストコンテンツにおいて、時空間的な関心、関心の領域、または関心部分に対する選好度は閉鎖された字幕または、シノプシス内の所定単語または文章を有するコンテンツをいう。
【００２１】
特定区間単位に対するユーザー選好度は、イメージや、オーディオ、ビデオまたはテキストコンテンツの選好区間を表示する際に用いる単位に対する選好度を意味する。特定区間単位に対する選好度は、既存の区間単位及びユーザー定義された区間単位のうち、一つの選好度を含むことができる。特定区間単位に対する選好度は、既存の単位またはユーザー定義された単位のうち、所望の単位を基本選好区間の指定単位としてユーザーに選択させる。既存の単位及びユーザー定義された単位としては、秒(Ｓｅｃｏｎｄ)、画面(Ｆｒａｍｅ)、シーン(Ｓｃｅｎｅ)、ショット(Ｓｈｏｔ)、トピック(Ｔｏｐｉｃ)、ページ(Ｐａｇｅ)、ライン(Ｌｉｎｅ)、ワード(Ｗｏｒｄ)のうち、少なくとも何れか一つまたは２以上の組み合わせを含み、これ以外に他のユーザー定義された単位を含むことができる。
【００２２】
選択時点に対するユーザー選好度は、既存の選択時点及びユーザー定義された選択時点に対する選好度のうちの一つであることができる。選択時点に対するユーザー選好度は、既存の選択時点及びユーザー定義された選択時点のうち、所望の選択時点を基本選択時点としてユーザーに選択させる。既存の選択時点及びユーザー定義された選択時点としては、現在(Ｎｏｗ)、以前(Ｂｅｆｏｒｅ)、以後(Ａｆｔｅｒ)、開始(Ｓｔａｒｔ)、終了(Ｅｎｄ)、中間(Ｈａｌｆ)、１/４地点(Ａ_ｑｕａｒｔｅｒ)、３/４地点(Ｔｈｒｅｅ_ｑｕａｒｔｅｒｓ)のうち、少なくとも何れか一つまたは２以上の組み合わせを含み、これ以外に他のユーザー定義された選択地点を含むことができる。
【００２３】
オーディオ、ビデオまたはテキストコンテンツのレンダリング速度に対するユーザー選好度は、意味論的な速度と数値的な速度に対する選好度を含む。意味論的な速度は文字を用いて表す速度をいい、数値的な速度は数字を用いて表す速度のことをいう。意味論的な速度は、非常に速く、速く、やや速く、やや遅く、遅く、非常に遅くのうち、少なくとも何れか一つまたは２以上の組み合わせを含み、これ以外の文字を用いて表す意味論的な速度も含むことができる。
【００２４】
コンテンツ格納選好度は、格納または録画されるコンテンツの格納量、格納時刻、コンテンツの選好部分、格納装置の位置などに対するユーザー選好度を意味する。レンダリング装置選好度は、ユーザーの所望のコンテンツがレンダリング及び再生される装置に対するユーザー選好度を意味する。
【００２５】
ユーザー選好コンテンツの関連コンテンツに対するユーザー選好度は、選好コンテンツの関連コンテンツに対するユーザーの選好度、すなわち、ユーザーがコンテンツの原本、要約本、部分本を選好するかに対するユーザーの選択及びユーザーのコンテンツの原本の関連付加情報に対するユーザー選択を意味する。
【００２６】
また、ユーザー選好度は、オーディオ、ビデオ及び/またはテキストコンテンツの繰り返し再生、再生方向、ランダムアクセス及び単一フレームの再生に関する選好度を含むことができる。ランダムアクセスに対する選好度は、コンテンツ内の所望の任意の時点へのジャンプに対する選好度を意味する。単一フレーム再生に対する選好度は、ユーザーの要請を受けて１フレーム単位で再生される時、ユーザーの次の応答が与えられるまで該当フレームのみを再生できる選好度を含む。
【００２７】
繰り返し再生に関する選好度は、繰り返し再生の回数に関係があり、すなわち繰り返し再生に関する選好度は単一回数再生または繰り返し再生のうち、所望の再生方式を基本的な再生方式として設定できる。再生方向選好度は順方向または逆方向のうち、所望の方向を基本再生方向として設定できる。
【００２８】
更に、ユーザー選好度は、テキストコンテンツのフォントの大きさ及び色に対するユーザー選好度を含むことができる。もし、テキストが合成オーディオ出力に変形されると、この選好度はテキストからオーディオ出力への変形のようなユーザー選好度を更に含む。
【００２９】
次に、メタデータ生成ユニット１１３は、ユーザー選好度入力ユニット１１１により選択された選好度をメタデータとして図示しないメモリに格納する。メタデータ生成ユニット１１３は、またコンテンツサービスの要請に応答してコンテンツ要請データを生成した後に、メタデータ送信ユニット１１５に伝達する。コンテンツ要請データは、コンテンツサービス要請情報とユーザー選好度情報を含み、ユーザー選好度情報はコンテンツサービス要請情報に対応する格納されたメタデータを検索して生成する。また、コンテンツ要請データは任意のユーザー端末指定情報を含むことができる。コンテンツサーバシステムは、この任意のユーザー端末指定情報が検出される時、変形(トランスコーディングまたはコンテン適応)コンテンツを指定された任意のユーザー端末に伝送できる。更に、コンテンツ要請データはコンテンツの再生または格納時刻情報を含むことができる。任意のユーザー端末は再生または格納時刻に応じて受信された変形コンテンツを再生または格納することができる。
【００３０】
すなわち、本発明はユーザーがコンテンツのサービスを要請する時に自分の端末ではない第３者の端末を指定し、この端末指定情報をコンテンツ要請データに挿入してコンテンツサーバシステムに伝達するように構成することができる。そのため、コンテンツサーバシステムはユーザーの指定した格納装置やレンダリング装置などのような任意の端末に変形されたマルチメディアコンテンツを伝送する。このように変形されたマルチメディアコンテンツは要請する毎にレンダリングまたは、格納されることができる。
【００３１】
また、メタデータ送信ユニット１１５では、コンテンツ要請データを有線または無線ネットワークにより送出可能な信号に変形または変調してネットワーク１２０を通してコンテンツサーバシステム１３０内のメタデータ受信ユニット１３１に伝送する。ここで、ネットワーク１２０はインターネットと移動通信網を接続する有線ネットワーク及び/または無線ネットワークを含む。
【００３２】
一方、本発明では上述のように、ユーザーにより任意に選択または指定された選好度のみならず、選好コンテンツに対する統計に基づいて生成された任意選好度もやはり伝送されるコンテンツ要請データ内に挿入されることができる。任意選好度はユーザーの好きなジャンル、コンテンツの種類及びユーザーがマルチメディアコンテンツのサービスを受ける度に累積された選択コンテンツの選好度のような情報に基づいて統計的に生成される。
【００３３】
図２は、本発明によってユーザーの任意選好度を算出する装置の細部的なブロック構成図である。この装置は、コンテンツ消費モニタリングユニット２０２、コンテンツ消費ヒストリー格納ユニット２０４及び任意選好度計算ユニット２０６を含む。
図２を参照すれば、コンテンツ消費モニタリングユニット２０２は、図１のコンテンツレンダリングユニット１１９から提供される変形コンテンツの伝達を受けてモニタリングする方式によりコンテンツ消費ヒストリーを抽出する。コンテンツ消費ヒストリーは、以前のコンテンツヒストリーとともにコンテンツ消費ヒストリー格納ユニット２０４に累積格納される。
【００３４】
次に、任意選好度計算ユニット２０６では、ユーザーのコンテンツ消費に対する累積統計値に基づいてユーザーの任意選好度を得る。例えば、以下の方法により選好度を計算することができる。
１.キャラクタに対する選好度=(特定俳優の登場頻度の数)/(全体の消費コンテンツの数)
２.ジャンルに対する選好度=(特定ジャンルに属する消費コンテンツの数)/(全体の消費コンテンツの数)
３.オーディオコンテンツのレンダリング速度に対する選好度=(所定レンダリング速度に再生されたオーディオコンテンツの数)/(全体の消費コンテンツの数)
４．特定単語または文章に対する選好度=(特定単語または内容文章を含む消費コンテンツの数)/(全体の消費コンテンツの数)
前記のように、得られた任意の選好度は、図１のメタデータ生成ユニット１１３に伝達されてメタデータとして図示しないメモリに格納される。
【００３５】
従って、本発明によれば、ユーザーはコンテンツ消費ヒストリーに基づいて自動的に算出される任意選好度を用いる上述のような過程を通して、所望の変形コンテンツの提供を受けることができる。
一方、コンテンツサーバシステム１３０は、選択または任意選好度情報のうちの何れかを含むコンテンツ要請データに応答して、ユーザー選好度に基づいて元のコンテンツを変形するか、適応することによって変形コンテンツを生成する。コンテンツサーバシステム１３０は、ネットワーク１２０を通してユーザー端末１１０またはユーザー指定端末(格納装置または再生装置など)に変形されたコンテンツを伝送する。そのために、コンテンツサーバシステム１３０は、メタデータ受信ユニット１３１、メタデータパーシングユニット１３３、コンテンツ適応ユニット１３５及びコンテンツ伝送ユニット１３７を含む。
【００３６】
ここで、メタデータ受信ユニット１３１は、ネットワークを通して伝達されるユーザーの選好度情報を含む変形されたコンテンツ要請データを元のデータに逆変形または復調してメタデータパーシングユニット１３３に伝達する。
次に、メタデータパーシングユニット１３３は、伝送されたユーザー選好度情報を含む変形されたコンテンツ要請データを分析して、その有効性が有るか否かを検証し、ユーザーの選好度情報を分析してそのユーザー選好度分析情報をコンテンツ適応ユニット１３５に伝達する。
【００３７】
これに応答して、コンテンツ適応ユニット１３５では、要請されたコンテンツ提供ユニット１４０からユーザーが要請したコンテンツをリードし、そのコンテンツをユーザーによって手動的に選択されるか、統計的分析によって自動的に生成されるユーザー選好度に基づいて変形及び処理して、前記コンテンツ伝送ユニット１３７に送信する。コンテンツ提供ユニット１４０は、コンテンツを格納するデータベースと格納されたコンテンツの読み取り、格納及び更新などを管理するユニットを含む。
【００３８】
より詳細に、コンテンツ適応ユニット１３５では、ネットワーの制限された帯域幅クリソースとユーザー端末の計算能力を考慮して、イメージまたはビデオデータの空間解像度を変形したり、テキストコンテンツ部分を抽出して、コンテンツ内の関心領域のみをフォーカシングすることによって元のコンテンツを変形する。結果的に、ユーザー選好度に基づく変形コンテンツが生成される。
【００３９】
また、コンテンツ適応ユニット１３５では、ユーザー選好度がレンダリング速度に対する選好度を含む時、これに基づいて、オーディオ、ビデオまたはテキストコンテンツのレンダリング速度を速く、または遅く変形させる。従って、オーディオまたは音響のレンダリング速度に選好度を含むことによって、速く発声される前記コンテンツのオーディオ要素を操作して音声がゆっくり再生される。更に、テキストをオーディオ出力に変形する時、生成された音  オーディオ出力のレンダリング速度を決めることができる。
【００４０】
更に、ユーザー選好度がレンダリング方向、特定区間単位及び選択時点に対する選好度を含む時、コンテンツ適応ユニット１３５では、上述のような方法でユーザー選好度情報に基づいて元のコンテンツを変形させる。
続いて、コンテンツ伝送ユニット１３７では、ユーザー選好度に基づいて変形されたコンテンツデータを有線または無線ネットワークにより送出可能な信号データに変形または変調する。従って、コンテンツ伝送ユニット１３７はネットワーク１２０を通して信号データをユーザー端末１１０のコンテンツ受信ユニット１１７に伝送する。
【００４１】
また、コンテンツ伝送ユニット１３７では、ユーザー選好度に基づいて変形できるコンテンツデータを有線または無線ネットワークにより送出可能な信号データに変形または変調する。従って、コンテンツ伝送ユニット１３７はネットワーク１２０を通してユーザーが指定した任意の端末またはユーザー端末１１０内のコンテンツ受信ユニット１１７に信号データを伝送して、信号データが格納されるようにする。
【００４２】
一方では、ユーザー端末１１０内のコンテンツ受信ユニット１１７は、ネットワーク１２０を通して受信された変形のコンテンツデータを変形または変調前の元のコンテンツに逆変形する。このように逆変形された変形コンテンツは、コンテンツ格納に対するユーザー選好度によって格納領域に格納されるか、あるいは再生のためのコンテンツレンダリングユニット１１９に伝達される。
【００４３】
次に、コンテンツレンダリングユニット１１９では、ユーザー選好度に応じて逆変形されたコンテンツをユーザーが見たり、聞いたりすることができるように再生させる。例えば、前記速い速度で発声される音声要素を有するコンテンツがよりゆっくり再生されるようにすることができる。また。テキストはオーディオ出力に変形されることができる。
【００４４】
次に、上述のような構成を有する本発明のマルチメディアコンテンツサービスシステムを通して選択ユーザー選好度または任意のユーザー選好度に応じて変形されたマルチメディアコンテンツをサービスする過程について説明する。
図３は、本発明の好適な実施例によってユーザー選好度に基づいて変形されたマルチメディアコンテンツをサービスする過程を示すフローチャートである。
【００４５】
図３を参照すれば、時空間的領域またはイメージ、オーディオ、ビデオ、またはテキスト領域に対する選好度、レンダリング速度及びオーディオ、ビデオ、テキストの方向に対する選好度、特定区間単位に対する選好度、オーディオ、ビデオ、テキストの選択時点に対する選好度を含む前記ユーザー選好度は、前記ユーザーの操作に応じて、前記ユーザー端末１１０のユーザー入力ユニット１１１を通して入力され(３０２)、入力されたユーザー選好度(すなわち、選択選好度)は、メタデータとして図示しないメモリに格納される(ステップ３０４)。
【００４６】
この時、ユーザー選好度は、ユーザーが選好度を直接選択または指定する上記の方式とは違って、ユーザーがマルチメディアコンテンツを用いる度に各コンテンツのジャンル、種類、選択選好度などの情報を累積統計して自動的に生成できる。このように生成されるユーザーの任意選好度はメタデータとして図示しないメモリに格納される。
【００４７】
次に、ユーザー端末では、ユーザーがマルチメディアコンテンツのサービスを要請しか否かをチェックする(ステップ３０６)。もし、マルチメディアコンテンツサービスが要請されたら、ユーザー端末はメモリに格納された対応するメタデータを検索し、コンテンツサービス要請情報とユーザー選好度情報を含むコンテンツ要請データを生成する(ステップ３０８)。
【００４８】
続いて、コンテンツ要請データを有線または無線ネットワークにより送出可能な信号に変形(変調)する。ユーザー端末はコンテンツサーバシステム１３０内のメタデータ受信ユニット１３１に信号を伝送する(ステップ３１０)。メタデータ受信ユニット１３１はネットワーク１２０を通して受信した選択選好度または任意選好度を含む変形されたコンテンツ要請データを元のデータに逆変形(復調)して、メタデータパーシングユニット１３３に伝達する(ステップ３１２)。
【００４９】
次に、メタデータパーシングユニット１３３は、ユーザー選好度を含むコンテンツ要請データを分析する。メタデータパーシングユニット１３３は、ユーザー選好度分析情報とコンテンツサービス要請情報をコンテンツ適応ユニット１３５に伝送する(ステップ３１４)。
【００５０】
続いて、コンテンツ適応ユニット１３５は、コンテンツサービス要請情報に基づいてコンテンツ提供ユニット１４０からユーザーが要請したコンテンツを検索する。コンテンツ適応ユニット１３５は、ユーザー選好度に基づいてコンテンツを変形させる(ステップ３１６)。
【００５１】
ユーザー選好度に基づいて変形されたコンテンツデータは、有線または無線ネットワークにより送出可能な信号データに変形(変調)される。この変形コンテンツはネットワーク１２０を通してユーザー端末１１０またはユーザーが指定した任意の端末に伝送される(ステップ３１８)。
【００５２】
コンテンツ受信ユニット１１７は、ネットワーク１２０を通して伝送されたユーザー選好度に応じて変形されたコンテンツデータを変形(変調)前の元のコンテンツに逆変形(復調)する(ステップ３２０)。その後、前記変形コンテンツはユーザー選好度に応じて再生されるか、図示しない格納領域またはメモリに格納される(ステップ３２２)。
【００５３】
一方では、本発明の好適な実施例では任意の端末のユーザーがユーザー選好度情報を含むメタデータを用いてコンテンツサービスを要請する時にコンテンツサーバシステムでメタデータに応じて元のコンテンツを変形させ、変更させたコンテンツサービスを要請した端末またはユーザーが指定した端末に伝送させる。
【００５４】
しかし、本発明は必ずしもこれに限定されるのではない。例えば、コンテンツサーバシステムではないユーザー端末または任意のユーザーが指定した端末側でメタデータに応じて元のコンテンツを変形させ、コンテンツを再生するか、または格納する。
この場合、コンテンツサービスを要請する時、ユーザー端末１１０側からコンテンツサーバシステム１３０側にメタデータを伝送する必要がない。従って、コンテンツサーバシステム１３０内のコンテンツ適応ユニット１３５では、要請された元のコンテンツを変形させず、コンテンツ伝送ユニット１３７及びネットワーク１２０を通してユーザー端末１１０またはユーザーが指定した任意のユーザー端末に伝送する。続いて、ユーザー端末１１０側のコンテンツ受信ユニット１１７では、メタデータ生成ユニット１１３により提供されるメタデータ、すなわちユーザー選好度を含むメタデータを分析し、その分析結果に応じて、受信された元のコンテンツを変形させた後、そのコンテンツを再生のためにコンテンツレンダリングユニット１１９に伝達するか、あるいは格納する。
【００５５】
一方、本発明に応じてユーザー選好度を生成し、この生成されたユーザー選好度に基づいて、元のコンテンツを変形させ、この変形されたコンテンツをユーザーに伝送してサービスするプログラムまたはアルゴリズムを記録媒体に記録することができる。このような記録媒体は特定装置に装着または搭載されることができ、コンピュータなどのような装置を通して読み取りできる。
【００５６】
上記において、本発明の好適な実施の形態について説明したが、本発明の請求範囲を逸脱することなく、当業者は種々の改変をなし得るであろう。
［発明の効果］
従来の方法は、イメージコンテンツの場合、イメージ解像度を下るか、カラー成分を除去してカラーデータを白黒データに変形する一方、ビデオコンテンツの場合は、各フレームの解像度または空間的な解像度を縮小する形態でコンテンツを変形及びサービスする。これに対して、本発明は、コンテンツの領域別または部分別選好度、コンテンツのレンダリング速度、レンダリングの方向、特定区間単位及び選択時点などに対するユーザー選好度を生成する。本発明によれば、この生成されたユーザー選好度に基づいて元のコンテンツを変形させ、この変形されたコンテンツをユーザーに伝送し、ユーザー選好度に応じてカストマイズされたマルチメディアサービスを提供、すなわち各ユーザーの選好度に応じて変形させた適応的なコンテンツを提供する。また、本発明は、ユーザーの所望のコンテンツまたは関連コンテンツを所望の時刻に所望の分量だけユーザーが指定した格納装置に格納したり、あるいは所望のレンダリング装置を通して所望の時刻にレンダリングできる。従って、本発明は、多様な形態のユーザーの要求に対してサービスすることができるという効果を奏する。
【図面の簡単な説明】
【００５７】
【図１】本発明の好適な実施例によるユーザー選好度に基づくマルチメディアコンテンツサービスシステムを提供するためのシステムのブロック構成図である。
【図２】本発明によってユーザーの任意選好度を算出する装置の細部的なブロック構成図である。
【図３】本発明の好適な実施例によってユーザー選好度に基づいてマルチメディアコンテンツを提供する過程を示すフローチャートである。
【図１】
2006503384.tif 000003
【図２】
2006503384.tif 000004
【図３】
2006503384.tif 000005
【国際調査報告】
2006503384.tif 000006